(57)【要約】  展示ケースは、好ましくは正方形または長方形の外形を有し、前側面（１）と、後側面（２）と、上側面（５）と、右側面（３）と、左側面（４）と、ベース部（６）または上側面（５）の代わりに設けられた追加的な上方部分（１４）とを有している。全ての側面または少なくともその一部はガラス板からなり、内部は、その下方領域において支持面（７）によって密閉され、外気に対して気密に確実に密閉されている。装置は、垂直に、互いに分離された２つの対称的な半分部分（８、９）と、ベース部（６）と、前側面（１）、後側面（２）、右側面（３）、および左側面（４）の一部を形成し、場合により設けられる上方部分（１４）とから形成されている。この２つの半分部分（８、９）は、適切な手段によって、互いに離れるように、または水平かつ平行に互いに近づくように移動可能となっている。支持面（７）は、その動きから除外されている。このような展示ケースは、ドアを有することがないが、それにもかかわらず、開放状態で内部へのアクセスがもたらされる。
2010525841.tif 000002
【特許請求の範囲】
【請求項１】
物品を展示または収納するための装置において、
好ましくは正方形または長方形の外形を有し、
前側面と、後側面と、上側面と、右側面と、左側面と、ベース部または上側面の代わりに追加的に設けられた上方部分とを有し、
全ての側面またはそれらの少なくとも一部はガラス板からなり、
内部が、その下方領域において支持面によって密閉され、
外気に対して確実に気密に密閉され、
垂直に、互いに分離された２つの対称的な半分部分（８、９）と、ベース部（６）と、前側面（１）、後側面（２）、右側面（３）、および左側面（４）の一部を形成し、場合により設けられる上方部分（１４）とを有し、
２つの半分部分（８、９）は、適切な手段によって、互いに離れるように、または水平かつ平行に互いに近づくように移動可能となっており、支持面（７）は、その動きから除外されていることを特徴とする装置。
【請求項２】
分離線は、外形の対角線上において２つの半分部分（８、９）の間に延びていることを特徴とする請求項１に記載の装置。
【請求項３】
２つの半分部分（８、９）は、ベース部（６）の内部および場合によっては上方部分（１４）の内部に２つ一組で収容されたガイド（１０、１１）に移動自在に取り付けられていることを特徴とする請求項１または２に記載の装置。
【請求項４】
ベース部（６）の内部に、ガイド（１０、１１）および支持面（７）をしっかりと連結する構造部材（１２）が設けられていることを特徴とする請求項１乃至３のいずれかに記載の装置。
【請求項５】
構造部材（１２）は、底面（１３）を形成する装置のベース板にしっかりと連結されていることを特徴とする請求項５に記載の装置。
【請求項６】
ガイド（１０、１１）は、構造部材（１２）にしっかりと取り付けられ、その方向は底面（１３）に平行であり、分離線（１５）に対して９０°の角度をなしていることを特徴とする請求項３乃至５のいずれかに記載の装置。
【請求項７】
ガイド（１０、１１）は、固定部と可動部とを有し、
固定部は、構造部材（１２）にしっかりと連結され、
２つの半分部分（８、９）は、可動部として固定部に移動自在に取り付けられていることを特徴とする請求項１乃至６のいずれかに記載の装置。
【請求項８】
固定部は伸縮構造を有していることを特徴とする請求項７に記載の装置。
【請求項９】
ガイド（１０、１１）の固定部に、電気モータによって駆動される駆動部がそれぞれ取り付けられ、駆動部によって、ガイド（１０、１１）の可動部が移動することを特徴とする請求項７または８に記載の装置。
【請求項１０】
全ての駆動部が、共通の制御装置によって制御されることを特徴とする請求項９に記載の装置。
【請求項１１】
共通の制御装置は、遠隔制御によって制御されることを特徴とする請求項１０に記載の装置。
【請求項１２】
装置が終端位置および閉鎖状態に達したことが、適切な手段によって制御装置に伝達されることを特徴とする請求項１１に記載の装置。
【請求項１３】
２つの半分部分（８、９）は、ガイド（１０、１１）の固定部内において可動部に水平方向に回転自在にそれぞれ取り付けられていることを特徴とする請求項７に記載の装置。
【請求項１４】
分離線の領域に２つの半分部分（８、９）のうちの一方に、シールリップ部が取り付けられていることを特徴とする請求項１乃至１３のいずれかに記載の装置。
【発明の詳細な説明】
【技術分野】
【０００１】
本発明は、好ましくは正方形または長方形の外形を有し、前側面と、後側面と、上側面と、右側面と、左側面と、ベース部または上側面の代わりに追加的に設けられた上方部分とを有し、全ての側面またはそれらの少なくとも一部がガラス板からなり、内部が、その下方領域において支持面によって密閉され、外気に対して確実に気密に密閉された、物品を展示または収納するための装置に関する。
【背景技術】
【０００２】
一般に、展示ケースと称されるタイプの装置の内部、特に支持面へのアクセスは、回転ドアのように側壁を構成することによってもたらされる。このような展示ケースの内部が周囲に対して可能な限り気密に密閉されている場合、ドアの密閉が、ドアのシールリップ部、実際には特にヒンジ領域によってもたらされるならば困難が生じる。それは、このとき、ドアは、閉鎖する過程で、シールリップ部の方向の直線上において動かないからである。ＥＰ０６７０４０５Ａ１における展示ケースは、特殊な手段によって、ドアを開放する過程でシールリップ部に対して直交する方向に、ドアを閉鎖する過程の終端の方向にドアが動くことが記載されている。
【０００３】
展示ケースの内部にアクセスすることができる他の解決方法が存在している。それは、４つの角部全てにおいて、電気スピンドル駆動部が上方部分を昇降するために使用され、上方部分全体が支持面から一斉に持ち上げられるという方法である。このタイプの展示ケースは、例えばＥＰ０７７５４５９Ａ１に記載されている。
【発明の概要】
【発明が解決しようとする課題】
【０００４】
知られているほとんどのケースでは、側面の内側の清掃は不利であった。なぜなら、ほとんどのケースでは、側面の内側に自由にアクセス可能とするために、展示された物品をそこから取り除く必要があるからである。また、多くの知られている展示ケースにおいて、側面の内側へのアクセスは、このような構成または構造の結果として展示ケースが空になっている場合であっても、たいてい大いに制限される。
【０００５】
本発明の目的は、特に側面の内側を清掃するために、内側へのアクセスが確実に可能となるとともに、さらに、言及した困難さがドアを密閉している間解消される展示ケースを示すことにある。
【課題を解決するための手段】
【０００６】
この目的は、装置が、垂直に、互いに分離された２つの対称的な半分部分と、ベース部と、前側面、後側面、右側面、および左側面の一部を形成し、場合により設けられる上方部分とを備え、２つの半分部分が、適切な手段によって、互いに離れるように、または水平かつ平行に互いに近づくように移動可能となっており、支持面が、その動きから除外されているという点において達成される。
【０００７】
本発明による展示ケースはドアを有することがなく、展示ケースの開放状態において２つの半分部分が十分に離れている場合、内部または支持面へのアクセスが可能となる。２つの半分部分の触れている縁部に取り付けられるシールリップ部は、水平方向かつ平行な移動の結果として、閉鎖過程の間、直線上に互いに近づくように案内される。美観の理由のためにたいていフレームが設けられていないドアに対して、２つの半分部分は、本発明による展示ケースが盗難をより一層防止することによって、より一層しっかりした構造を示している。２つの半分部分が互いに離れるように移動するが、一方で支持面がその位置に保持されるため、側面の内側を清掃している間、展示された物品をその位置に残しておくことができ、この間、これらは清掃作業を妨げることがない。
【０００８】
本発明の発展した点は、２つの半分部分の間の分離線が外形の対角線上に延びているということにある。この解決方法により、２つの半分部分の間の分離線は、異なる半分部分の２つの側面がそれぞれ水平方向に互いに当接するラインのコースに延びるため、目立たなくなる。光学的に見ると、閉鎖状態の展示ケースのこの部分は、一方の半分部分の２つの側面のコーナー連結部とは異なっている。
【図面の簡単な説明】
【０００９】
【図１】図１は、閉鎖状態における展示ケースを示す図。
【図２】図２は、部分的に開放された状態における展示ケースを示す図。
【図３】図３は、完全に開放された展示ケースの平面図。
【発明を実施するための形態】
【００１０】
図面に示された実施の形態を参照して、本発明をさらに詳細に説明する。
【００１１】
図１に示された展示ケースは、正方形または長方形の外形を有している。しかしながら、本発明は、例えば六角形の外形を有する展示ケースにも適用することができる。前側面１、後側面２、右側面３、および左側面４は物品を受け入れるためのスペースを取り囲み、これらの側面は、透明なガラス板からそれぞれ形成されている。展示ケースの下方部分に、ベース部６が形成され、このベース部６の上側に支持面７が配置されている。上部において、展示ケースは、同様にしてガラス板からなる上側面５によって密閉されている。この上側面５の代わりに、展示ケースは、例えば照明装置が収容された上方部分１４を有することもできる。展示ケースは、床上に、例えば底面１３によって立つようになっている。
【００１２】
各側部１乃至４は、上方部分１４の存在下でベース部６の対応する部分とともに、また上方部分１４の対応する部分とともに、本質的に一つのユニットを形成している。このことにより、例えば、言及した側部１乃至４は、ベース部６を越えて延び、場合によっては上側部分５を超えて延びて連続するガラス板としてそれぞれ構成され、ガラス板は、ベース部６および上側部分５の領域においては、内側に適用される不透明な薄片の近くに形成されることが実現される。したがって、展示ケースの本体は、上述した側部から形成され、２つの隣接する側部は２つ一組でしっかりと互いに連結され、その結果として２つの対向配置された半分部分が作り出される。
【００１３】
展示ケース全体を２つの対称的な半分部分に分離する分離線１５は、展示ケースの外形に対して対角線上に延びる。図２によれば、展示ケースは、垂直に、互いに分離された第１半分部分８と第２半分部分９とを有している。これにより分離線１５は、異なる半分部分８および９の２つの側面が互いに当接する当接端上に延びる。正方形または長方形の外形の中央を通って延びる分離線を有していることも考えられるが、この場合、分離線は２つの側面の中心において垂直方向に延び、展示ケースの閉鎖状態において目立つようになる。一方で、分離線が対角線上にある場合には、これらは異なる半分部分の２つの側面の当接端に一致し、このことにより、同じ半分部分の２つの側面の当接端よりは目につきにくくなっている。
【００１４】
展示ケースの床面１３は、支持面７が取り付けられる構造部材１２が取り付けられたベース板によって形成されている。従って、２つの半分部分８および９が互いに離れるように移動する場合、支持面は変わることなくその位置に保持される。展示ケースの閉鎖状態において、支持面７とベース板との間に形成された中間空間は、ベース部６によって覆われている。構造部材１２は、２つの半分部分８および９の水平方向移動を可能とするガイド１０および場合によってはガイド１１を取り付けるようになっている。図２に示すガイド１０は、構造部材１２に取り付けられた支持面７とベース板との間に２つ一組でしっかりと取り付けられ、その結果、互いに離れるようなまたは互いに近づくような２つの半分部分８および９の平行な移動が達成される。他方のガイド１１は、２つ一組で同様に設けられ、上方部分１４内に、または上方部分１４が存在しない場合にはベース部６内に、実際は構造部材１２に取り付けられたガイド１０の上方に同じように、かつ後者と平行に取り付けられている。ガイド１０および１１は、床面１３に対して平行で、分離線１５に対して９０°の角度をなす方向を向いている。２つの半分部分８および９の全体の重さは、ガイド１０および１１に負荷されている。展示ケースが大きな寸法からなって、このことによって重い場合には、ガイド１０および１１にかかる重さを軽減させるために、２つの半分部分８および９に、床面１３上に配置されるローラを設けることが好都合である。
【００１５】
ガイド１０および１１は、固定部と可動部とをそれぞれ有している。固定部は、構造部材１２にしっかりと連結され、可動部は半分部分８または９に連結されている。可動部は、固定部に移動自在に取り付けられ、その結果、一つの半分部分８または９の移動が可能になっている。従って、固定部が２つの半分部分８および９の間に広い開口を可能とする長さ有し、２つの半分部分の可動部によって共通に使用される場合には少なくとも４つのガイドが必要となる。固定部は、可動部が固定部の端部に当接した場合にのみ伸びるように伸縮自在な伸長部を有することができる。固定部が２つの可動部によって共通に使用されている場合、伸縮自在な伸長部は両方の端部に設けなければならない。ガイド１０および１１の固定部は、例えば、互いに連結された回転自在な多数のローラを有する可動部を受け入れるＵ字形状を有することができる。しかしながら、他のガイドとして、ローラの代わりに、ガイド１０および１１の固定部に対して可動部を滑り運動させることができるボールを設けることも考えられる。
【００１６】
電気モータは、ガイド１０および１１の固定部に取り付けることができ、ねじが形成されたスリーブが配置され、ねじが形成されたスピンドルを駆動し、一方の半分部分８または９にしっかりと連結されている。このようにして、電気モータによって押し引き運動が達成され、その結果として、２つの半分部分８および９が引き離されたりくっついたりする。また、ガイド１０または１１の一方の対に対して一つだけの電気モータをそれぞれ設けることも考えられる。この電気モータは、ねじが形成されたスピンドルと、通常のねじが形成された一方の半分部分と、反対向きのねじが形成された他方の半分部分とを駆動する。その結果、２つの半分部分８および９が外側または内側へ同時に移動することが可能となる。この場合、ねじが形成されたスピンドルは、構造部材１２または上方部分１４において２つの半分部分８および９の角部の間の連結ラインのコース、すなわち分離線１５に対して９０°の角度をなして取り付けられている。全ての電気モータを完全に同期させることは、２つの半分部分８および９を均一に移動させるための必須条件である。このことは、電気モータに電気的に接続された電子制御装置を用いてこれらを制御することにより達成される。半分部分８および９の間における開放時の閉鎖状態および終端状態の信号を送信するセンサが、同様にして電子制御装置に接続され、その結果、電子制御装置は電気モータの操作を終了させる。また、電子制御装置に配線されることなく、遠隔制御によって展示ケースの開放過程および閉鎖過程を行うことも考えられる。
【００１７】
展示ケースのサイズによっては、４つのガイド１０および１１の代わりに、このタイプの追加のガイドを使用することが必要となり得る。
【００１８】
図３において、本発明による展示ケースは、開放状態の終端位置で示されている。これにより、展示ケースは、透明な上側面５を有していることがわかる。２つの半分部分８および９は、支持面７にアクセスすることが可能となる程度に互いに離れている。また、２つの半分部分８および９の間隔は、これらの内側に清掃時にアクセス可能となるように十分に開けられ、支持面７に置かれた物品が清掃を妨げることがない。
【００１９】
２つの半分部分８および９を、ガイド１０および１１の可動部に固定方式ではなく、それぞれが水平方向に回転可能に取り付けることは考えられる。その結果、一方のガイドにおいて２つの半分部分の引き離しが早めに終わり、反対側に配置されたガイドにおいて２つの半分部分の引き離しを終端位置まで継続することが可能となる。このようにして、この側における２つの半分部分８および９の間の開口が拡張され、反対側に位置する開口が２つの半分部分８および９が触れることが無い程度にだけ開く。対応する手段がモータのさまざまなコースのために制御装置において選択される展示ケースのこのような構造の結果、ガイド１０および１１の伸縮自在な伸長部を場合によっては省くことができる。
【００２０】
シールリップ部は、２つの半分部分８または９のうちの一方において、分離線１５の領域に取り付けられる。
【符号の説明】
【００２１】
１      前側面
２      後側面
３      右側面
４      左側面
５      上側面
６      ベース部
７      支持面
８      第１半分部分
９      第２半分部分
１０    第１ガイド
１１    第２ガイド
１２    構造部材
１３    床面
１４    上方部分
１５    分離線
【図１】
2010525841.tif 000003
【図２】
2010525841.tif 000004
【図３】
2010525841.tif 000005
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
物品を展示または収納するための装置において、
好ましくは正方形または長方形の外形を有し、
前側面と、後側面と、上側面と、右側面と、左側面と、ベース部または上側面の代わりに追加的に設けられた上方部分とを有し、
全ての側面またはそれらの少なくとも一部はガラス板からなり、
内部が、その下方領域において支持面によって密閉され、
外気に対して確実に気密に密閉され、
垂直に、互いに分離された２つの対称的な半分部分（８、９）と、ベース部（６）と、前側面（１）、後側面（２）、右側面（３）、および左側面（４）の一部を形成し、場合により設けられる上方部分（１４）とを有し、
２つの半分部分（８、９）は、適切な手段によって、互いに離れるように、または水平かつ平行に互いに近づくように移動可能となっており、支持面（７）は、その動きから除外されていることを特徴とする装置。
【請求項２】
分離線は、外形の対角線上において２つの半分部分（８、９）の間に延びていることを特徴とする請求項１に記載の装置。
【請求項３】
２つの半分部分（８、９）は、ベース部（６）の内部および場合によっては上方部分（１４）の内部に２つ一組で収容されたガイド（１０、１１）に移動自在に取り付けられていることを特徴とする請求項１または２に記載の装置。
【請求項４】
ベース部（６）の内部に、ガイド（１０、１１）および支持面（７）をしっかりと連結する構造部材（１２）が設けられていることを特徴とする請求項１乃至３のいずれかに記載の装置。
【請求項５】
構造部材（１２）は、底面（１３）を形成する装置のベース板にしっかりと連結されていることを特徴とする請求項４に記載の装置。
【請求項６】
ガイド（１０、１１）は、構造部材（１２）にしっかりと取り付けられ、その方向は底面（１３）に平行であり、分離線（１５）に対して９０°の角度をなしていることを特徴とする請求項３乃至５のいずれかに記載の装置。
【請求項７】
ガイド（１０、１１）は、固定部と可動部とを有し、
固定部は、構造部材（１２）にしっかりと連結され、
２つの半分部分（８、９）は、可動部として固定部に移動自在に取り付けられていることを特徴とする請求項１乃至６のいずれかに記載の装置。
【請求項８】
固定部は伸縮構造を有していることを特徴とする請求項７に記載の装置。
【請求項９】
ガイド（１０、１１）の固定部に、電気モータによって駆動される駆動部がそれぞれ取り付けられ、駆動部によって、ガイド（１０、１１）の可動部が移動することを特徴とする請求項７または８に記載の装置。
【請求項１０】
全ての駆動部が、共通の制御装置によって制御されることを特徴とする請求項９に記載の装置。
【請求項１１】
共通の制御装置は、遠隔制御によって制御されることを特徴とする請求項１０に記載の装置。
【請求項１２】
装置が終端位置および閉鎖状態に達したことが、適切な手段によって制御装置に伝達されることを特徴とする請求項１１に記載の装置。
【請求項１３】
２つの半分部分（８、９）は、ガイド（１０、１１）の固定部内において可動部に水平方向に回転自在にそれぞれ取り付けられていることを特徴とする請求項７に記載の装置。
【請求項１４】
分離線の領域に２つの半分部分（８、９）のうちの一方に、シールリップ部が取り付けられていることを特徴とする請求項１乃至１３のいずれかに記載の装置。
【国際調査報告】
2010525841.tif 000006
2010525841.tif 000007
2010525841.tif 000008
2010525841.tif 000009
2010525841.tif 000010
2010525841.tif 000011